(57)【要約】【課題】締結作業が極めて容易で作業効率が良く、且つ、締結が確実な締結具を得る。【解決手段】円筒部１２の一端に頭部１３が形成された雌部材１４と、該円筒部１２に遊嵌自在に形成された円柱部１５の一端に頭部１６が形成された雄部材１７と、該円筒部１２及び該円柱部１５に夫々装着させる弾性リング（第１、第２弾性リング１８，１９）とから成り、且つ、前記円筒部１２及び前記円柱部１５には夫々互いに係合する係合手段（第１、第２係合手段２０，２１）が形成された締結具１１であって、前記円筒部１２及び前記円柱部１５に前記弾性リングを夫々装着すると共に、前記円筒部１２に前記円柱部１５を遊嵌させ、且つ、前記係合手段を互いに係合させることにより、前記雌部材１４と前記雄部材１７とによって被締結物（モータケース２７）を挟圧して締結するように構成した締結具を提供する。【選択図】  図１
2004245352.tif 000002
【特許請求の範囲】
【請求項１】
円筒部の一端に頭部が形成された雌部材と、該円筒部に遊嵌自在に形成された円柱部の一端に頭部が形成された雄部材と、該円筒部及び該円柱部に夫々装着させる弾性リングとから成り、且つ、前記円筒部及び前記円柱部には夫々互いに係合する係合手段が形成された締結具であって、前記円筒部及び前記円柱部に前記弾性リングを夫々装着すると共に、前記円筒部に前記円柱部を遊嵌させ、且つ、前記係合手段を互いに係合させることにより、前記雌部材と前記雄部材とによって被締結物を挟圧して締結するように構成したことを特徴とする締結具。
【請求項２】
上記雌部材の係合手段は上記円筒部の開放端から上記頭部に向かってテーパー状に切欠された案内部と、該案内部の後端部に該後端部と偏心して形成された孔部と、該孔部が該案内部の後端部に偏心することにより形成された鉤部とから成り、一方、上記雄部材の係合手段は上記円柱部外周先端近傍に外方に突出して形成された突出部から成り、上記雄部材の円柱部が上記雌部材の円筒部に遊嵌される時、該雄部材の前記突出部が該雌部材の前記案内部に案内された後、前記孔部に嵌入し、更に、該突出部が該孔部で回転し、且つ、上記弾性リングに付勢されて該突出部が前記鉤部に係合するように構成されていることを特徴とする請求項１記載の締結具。
【請求項３】
上記雌部材の係合手段は上記円筒部の外周部に軸対称に２個所形成され、上記雄部材の係合手段は上記円柱部の外周部に軸対称に２個所形成されていることを特徴とする請求項１又は２記載の締結具。
【発明の詳細な説明】
【０００１】
【発明の属する技術分野】
この発明は、締結具に関するものであり、特に、例えば、パソコン等の電子機器のシャーシに空冷用のファンモータを取り付けるための締結具であって、締結作業の容易化を図った締結具に関するものである。
【０００２】
【従来の技術および発明が解決しようとする課題】
従来の此種締結具としてボルトとナットが知られており、例えば、図６に示す如く、パソコン等の電子機器のシャーシ１に空冷用のファンモータ２を取り付ける際には、該ファンモータ２を固定し、且つ、被蔽するモータケース３をボルト４、４とナット５，５を用いて前記シャーシ１に固定することによって、該ファンモータ２を前記シャーシ１に取り付けている。
【０００３】
又、同様に、ファンモータを電子機器のシャーシに取り付ける装置が既に公開されており（例えば、特許文献１参照）、該装置は、電子機器のシャーシにファンモータ嵌合孔が形成されると共に、該嵌合孔内に切り起こし片と折曲片とから成るファンモータ固定部が形成され、該嵌合孔内にファンモータを収納するモータケースを嵌合し、且つ、該ファンモータ固定部に形成された該折曲片の固定ねじ孔にボルトを螺合して該モータケースを固定するように構成されている。
【０００４】
然しながら、前述の取り付け作業に於ては、いずれもボルトが用いられ、該ボルトを螺着するため、該ボルトを回転させる作業は、例えば、未熟練作業者、又は、外国人作業者等にとっては困難な場合があり、特に多数のボルトを取り付ける作業に於て作業効率が悪いという問題がある。
【０００５】
そこで、締結作業が極めて容易で作業効率が良く、且つ、締結が確実な締結具を得るために解決すべき技術的課題が生じてくるのであり、本発明はこの課題を解決することを目的とする。
【０００６】
【特許文献１】
特開平８−２０５４５０号公報  （第１−８頁、第１−６図）
【０００７】
【課題を解決するための手段】
本発明は上記目的を達成するために提案されたものであり、円筒部の一端に頭部が形成された雌部材と、該円筒部に遊嵌自在に形成された円柱部の一端に頭部が形成された雄部材と、該円筒部及び該円柱部に夫々装着させる弾性リングとから成り、且つ、前記円筒部及び前記円柱部には夫々互いに係合する係合手段が形成された締結具であって、前記円筒部及び前記円柱部に前記弾性リングを夫々装着すると共に、前記円筒部に前記円柱部を遊嵌させ、且つ、前記係合手段を互いに係合させることにより、前記雌部材と前記雄部材とによって被締結物を挟圧して締結するように構成した締結具、
及び、上記雌部材の係合手段は上記円筒部の開放端から上記頭部に向かってテーパー状に切欠された案内部と、該案内部の後端部に該後端部と偏心して形成された孔部と、該孔部が該案内部の後端部に偏心することにより形成された鉤部とから成り、一方、上記雄部材の係合手段は上記円柱部外周先端近傍に外方に突出して形成された突出部から成り、上記雄部材の円柱部が上記雌部材の円筒部に遊嵌される時、該雄部材の前記突出部が該雌部材の前記案内部に案内された後、前記孔部に嵌入し、更に、該突出部が該孔部で回転し、且つ、上記弾性リングに付勢されて該突出部が前記鉤部に係合するように構成されている締結具、
並びに、上記雌部材の係合手段は上記円筒部の外周部に軸対称に２個所形成され、上記雄部材の係合手段は上記円柱部の外周部に軸対称に２個所形成されている締結具を提供するものである。
【０００８】
【発明の実施の形態】
以下、本発明の一実施の形態を図１乃至図５に従って詳述する。図１に於て、１１は締結具であり、該締結具１１は、円筒部１２の一端に頭部１３が形成された雌部材１４と、該円筒部１２に遊嵌自在に形成された円柱部１５の一端に頭部１６が形成された雄部材１７と、該円筒部１２及び該円柱部１５に夫々装着させる第１弾性リング１８及び第２弾性リング１９とから成り、且つ、前記円筒部１２と前記円柱部１５には互いに係合する第１係合手段２０と第２係合手段２１とが夫々形成されている。
【０００９】
そして、前記第１係合手段２０は前記雌部材１４の円筒部１２の開放端から前記頭部１３に向かってテーパー状に狭くなるように切欠された案内部２２と、該案内部２２の後端部に該後端部に対し偏心して形成された孔部２３と、該孔部２３が該案内部２２の後端部に対して偏心することにより形成された鉤部２４とから成り、一方、前記第２係合手段２１は前記雄部材１７の円柱部１５外周先端近傍に外方に突出して形成された突出部２５から成る。
【００１０】
又、前記第１係合手段２０は前記雌部材１４の円筒部１２の外周部に軸対称に２個所形成され、前記第２係合手段２１は前記雄部材１７の円柱部１５の外周部に軸対称に２個所形成されている。
【００１１】
而して、前記締結具１１によって、例えば、パソコンのシャーシ２６に被締結物としてのモータケース２７を取り付ける場合は、前記雌部材１４の円筒部１２の前記頭部１３近傍に前記第１弾性リング１８を装着し、前記雄部材１７の円柱部１５の前記頭部１６近傍に前記第２弾性リング１９を装着した後、前記シャーシ２６に開穿された孔２６ａに該雌部材１４の円筒部１２を貫通させ、前記モータケース２７に開穿された孔２７ａに該雄部材１７の円柱部１５を貫通させ、図２に示す如く、該雄部材１７の円柱部１５を前記雌部材１４の円筒部１２内に挿入する。
【００１２】
そして、例えば、該雌部材１４を固定し、該雄部材１７を該雌部材１４方向に押圧することによって、図３に示す如く、前記第１弾性リング１８及び第２弾性リング１９を介して、該雌部材１４と該雄部材１７によって前記モータケース２７及びシャーシ２６を挟着し、一方、該雄部材１７の前記突出部２５，２５は前記雌部材１４の前記案内部２２，２２に案内された後、前記孔部２３，２３に嵌入し、少し左に回転しながら、図４に示す如く、該孔部２３，２３の最奥部まで案内される。そして、この時、前記第１弾性リング１８と前記第２弾性リング１９は圧接されて変形する。
【００１３】
次に、前記雄部材１４の押圧を解除すると、図５に示す如く、変形した前記第１弾性リング１８及び前記第２弾性リング１９がやや復元し、その反力によって該雄部材１７が押し戻され、前記突出部２５，２５が前記鉤部２４，２４に係合し、且つ、この状態で、係合状態が保持される。
【００１４】
そして、前記締結具１１を取り外す時は、前記雄部材１７を前記雌部材１４側に押圧し、且つ、該雄部材１７を少し右に回転すると該雄部材１７の前記突出部２５，２５が前記鉤部２４，２４の係合から外れ、その状態で該雄部材１７を該雌部材１４から引き抜くことができる。
【００１５】
斯くして、前記締結具１１は、該雄部材１７の円柱部１５を前記雌部材１４の円筒部１２内に挿入し、該雄部材１７を押圧することにより、ワンタッチで前記モータケース２７を締結することができ、締結作業が極めて容易、且つ、短時間に行え、作業効率を高めることができる。又、前記突出部２５が前記鉤部２４，２４に係合することによって締結も確実であり、更に、該締結具１１の取り外しも容易である。又、前記締結具１１は安価に作成できる。
【００１６】
更に又、前記第１係合手段２０、及び、前記第２係合手段２１は前述した如く、夫々軸対称に２個所形成されているので、安定した係合が可能になり、且つ、係合強度も増大する。
【００１７】
尚、前述の締結具１１の締結作業に於て、前記雌部材１４を固定し、前記雄部材１７を押圧したが、該雄部材１７を固定し、前記雌部材１４を押圧して締結作業を行ってもよく、然る時も、略同様の効果を得ることができる。
【００１８】
又、前記第１係合手段２０、及び、前記第２係合手段２１は前述した如く、夫々軸対称に２個所形成されることが望ましいが、夫々１個所でも締結することが可能である。
【００１９】
そして、前記締結具１１は、前述したモータケース２７の締結に限定されることなく、種々の被締結物を締結することが可能である。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、請求項１記載の発明は円筒部の一端に頭部が形成された雌部材と、該円筒部に遊嵌自在に形成された円柱部の一端に頭部が形成された雄部材と、該円筒部及び該円柱部に夫々装着させる弾性リングとから成り、且つ、前記円筒部及び前記円柱部には夫々互いに係合する係合手段が形成された締結具であるので、前記円筒部及び前記円柱部に前記弾性リングを夫々装着すると共に、前記円筒部に前記円柱部を遊嵌させ、且つ、前記係合手段を互いに係合させることにより、前記雌部材と前記雄部材とによって被締結物を挟圧して締結することができる。斯くして、前記締結具は、締結作業が容易に行えると共に、該締結具は安価に作成できる。
【００２２】
又、請求項２記載の発明は、上記雌部材の係合手段は上記円筒部の開放端から上記頭部に向かってテーパー状に切欠された案内部と、該案内部の後端部に該後端部と偏心して形成された孔部と、該孔部が該案内部の後端部に偏心することにより形成された鉤部とから成り、一方、上記雄部材の係合手段は上記円柱部外周先端近傍に外方に突出して形成された突出部から成るので、請求項１記載発明の効果に加え、前記雄部材の円柱部が前記雌部材の円筒部に遊嵌される時、該雄部材の前記突出部が該雌部材の前記案内部に案内された後、前記孔部に嵌入し、更に、該突出部が該孔部で回転し、且つ、上記弾性リングに付勢されて該突出部が前記鉤部に係合することにより、被締結物の締結がワンタッチで容易に行え、締結作業が極めて容易、且つ、短時間に行え、作業効率を高めることができると共に、締結も確実であり、且つ、取り外しも容易に行える。
【００２３】
更に、請求項３記載の発明は、上記雌部材の係合手段は上記円筒部の外周部に軸対称に２個所形成され、上記雄部材の係合手段は上記円柱部の外周部に軸対称に２個所形成されているので、安定した係合が可能になり、且つ、係合強度も増大する等、正に著大なる効果を奏する発明である。
【図面の簡単な説明】
【図１】（ａ）本発明の一実施の形態を示し、締結前の締結具の側面縦断面図。
（ｂ）図（ａ）Ａ−Ａ線矢視図。
（ｃ）図（ａ）Ｂ−Ｂ線矢視図。
【図２】本発明の一実施の形態を示し、締結具を締結する状態を示す側面縦断面図。
【図３】本発明の一実施の形態を示し、締結具を締結する状態を示す側面縦断面図。
【図４】本発明の一実施の形態を示し、締結具を締結する状態を示す側面縦断面図。
【図５】本発明の一実施の形態を示し、締結具を締結した状態を示す側面縦断面図。
【図６】従来例を示し、締結具を用いてファンモータをシャーシに締結した状態を示す側面縦断面図。
【符号の説明】
１１                締結具
１２                円筒部
１３                頭部
１４                雌部材
１５                円柱部
１６                頭部
１７                雄部材
２２                案内部
２３                孔部
２４                鉤部
２５                突出部
【図１】
2004245352.tif 000003
【図２】
2004245352.tif 000004
【図３】
2004245352.tif 000005
【図４】
2004245352.tif 000006
【図５】
2004245352.tif 000007
【図６】
2004245352.tif 000008